(57)【特許請求の範囲】
【請求項１】
無線通信端末の送信電力を制御する方法であって、前記無線通信端末は、第1のコントローラ、第2のコントローラ、WiFiコントローラ、第1のアンテナ、第2のアンテナ及びWiFiアンテナを備え、当該方法は、
前記第1のコントローラが、前記第1のアンテナが動作状態にあることを決定するステップであって、前記第1のコントローラは、動作状態にある前記第1のアンテナについて、前記第1のアンテナが音声通信中であるのか又はデータ伝送中であるのかを決定するように構成され、そして、さらに、前記第1のアンテナが音声通信中である場合に、音声通信タイプを決定するように構成される、ステップと、
前記第1のコントローラが、前記無線通信端末がWiFiアクセススポットとして設定されるか否かを決定するステップと、
音声通信タイプ及び前記無線通信端末がWiFiアクセススポットとして設定されるか否かの組み合わせ、又は、データ伝送が実行されるか否か及び前記無線通信端末がWiFiアクセススポットとして設定されるか否かの組み合わせに基づいて、事前設定された対応関係に従って、前記第1のアンテナの送信電力及び前記WiFiアンテナの送信電力を取得し、そして、前記第1のアンテナの前記送信電力及び前記WiFiアンテナの前記送信電力をそれぞれ前記第2のコントローラ及び前記WiFiコントローラに送信するステップと、を含み、前記第1のアンテナの動作状態は、音声通信タイプ及びデータ伝送が実行されるか否かを含み、前記WiFiアンテナの動作状態は、音声通信タイプ及びデータ伝送が実行されるか否かを含み、前記WiFiアンテナのサービスタイプは、前記無線通信端末がWiFiアクセススポットとして設定されるか否かを含み、
前記第1のコントローラによって取得された前記第1のアンテナの前記送信電力及び前記WiFiアンテナの前記送信電力は、前記第2のコントローラ及び前記WiFiコントローラが前記第1のアンテナの前記送信電力及び前記WiFiアンテナの前記送信電力を受信した後、前記第1のアンテナの前記送信電力及び前記WiFiアンテナの前記送信電力に従って伝送を実行するように前記第1のアンテナ及び前記WiFiアンテナをそれぞれ制御するのに用いられる、
方法。
【請求項２】
前記第1のコントローラが、前記第2のアンテナが動作状態に切り替えられることを決定するステップと、
前記第1のコントローラが、事前設定された対応関係に従って、前記第2のアンテナ及び前記WiFiアンテナの送信電力を取得し、前記送信電力をそれぞれ前記第2のコントローラと前記WiFiコントローラに送信するステップと、
を更に含み、
前記第1のコントローラによって取得された前記第2のアンテナ及び前記WiFiアンテナの前記送信電力は、前記第2のコントローラ及び前記WiFiコントローラが前記送信電力を受信した後、それぞれ前記第2のアンテナと前記WiFiアンテナを前記送信電力に従って伝送を実行するように制御するのに用いられる、
請求項1に記載の方法。
【請求項３】
前記第1のコントローラが、前記第1のアンテナが動作状態にあることを決定する前記ステップは、
前記第1のコントローラが、前記無線通信端末が前記第1のアンテナを用いて音声通信を実行することを決定するステップと、
前記第1のコントローラが、前記第1のアンテナの音声通信タイプを決定するステップと、
を含み、
前記無線通信端末は更に光学近接センサを備え、前記方法は更に、
前記第1のコントローラが、前記光学近接センサがトリガされたことを決定するステップ、
を含み、
前記第1のコントローラが事前設定された対応関係に従って前記第1のアンテナ及び前記WiFiアンテナの送信電力を取得する前記ステップは、
前記第1のコントローラが、事前設定された第9及び第10の対応関係に従って、前記第1のアンテナ及び前記WiFiアンテナの前記送信電力を決定するステップであって、前記第9の対応関係は、前記第1のアンテナの前記音声通信タイプと、前記無線通信端末がWiFiアクセススポットとして設定されることと、前記光学近接センサがトリガされたこととに基づいて、前記第1のアンテナの前記送信電力を決定するのに用いられ、前記第10の対応関係は、前記第1のアンテナの前記音声通信タイプと、前記無線通信端末がWiFiアクセススポットとして設定されることと、前記光学近接センサがトリガされたこととに基づいて、前記WiFiアンテナの前記送信電力を決定するのに用いられる、ステップ、
を含む、請求項1又は2に記載の方法。
【請求項４】
前記第1のコントローラが前記第2のアンテナが動作状態に切り替えられることを決定する前記ステップは、
前記第1のコントローラが、前記無線通信端末が前記第1のアンテナから前記第2のアンテナに切り替えて音声通信を実行することを決定するステップと、
前記第1のコントローラが、前記第2のアンテナの音声通信タイプを決定するステップと、
を含み、
前記無線通信端末は更に光学近接センサを備え、前記方法は更に、
前記第1のコントローラが、前記光学近接センサがトリガされたことを決定するステップ、
を含み、
前記第1のコントローラが事前設定された対応関係に従って前記第2のアンテナ及び前記WiFiアンテナの送信電力を取得する前記ステップは、
前記第1のコントローラが、事前設定された第11及び第12の対応関係に従って、前記第2のアンテナ及び前記WiFiアンテナの前記送信電力を決定するステップであって、前記第11の対応関係は、前記第2のアンテナの前記音声通信タイプと、前記無線通信端末がWiFiアクセススポットとして設定されることと、前記光学近接センサがトリガされたこととに基づいて、前記第2のアンテナの前記送信電力を決定するのに用いられ、前記第12の対応関係は、前記第2のアンテナの前記音声通信タイプと、前記無線通信端末がWiFiアクセススポットとして設定されることと、前記光学近接センサがトリガされたこととに基づいて、前記WiFiアンテナの前記送信電力を決定するのに用いられる、ステップ、
を含む、請求項2に記載の方法。
【請求項５】
前記第1のコントローラが、前記第1のアンテナが動作状態にあることを決定する前記ステップは、
前記第1のコントローラが、前記無線通信端末が前記第1のアンテナを用いて音声通信を実行することを決定するステップと、
前記第1のコントローラが、前記第1のアンテナの音声通信タイプを決定するステップと、
を含み、
前記第1のコントローラが事前設定された対応関係に従って前記第1のアンテナ及び前記WiFiアンテナの送信電力を取得する前記ステップは、
前記第1のコントローラが、事前設定された第1及び第2の対応関係に従って、前記第1のアンテナ及び前記WiFiアンテナの前記送信電力を決定するステップであって、前記第1の対応関係は、前記第1のアンテナの前記音声通信タイプと、前記無線通信端末がWiFiアクセススポットとして設定されることとに基づいて、前記第1のアンテナの前記送信電力を決定するのに用いられ、前記第2の対応関係は、前記第1のアンテナの前記音声通信タイプと、前記無線通信端末がWiFiアクセススポットとして設定されることとに基づいて、前記WiFiアンテナの前記送信電力を決定するのに用いられる、ステップ、
を含む、請求項1又は2に記載の方法。
【請求項６】
前記第1のコントローラが前記第2のアンテナが動作状態に切り替えられることを決定する前記ステップは、
前記第1のコントローラが、前記無線通信端末が前記第1のアンテナから前記第2のアンテナに切り替えて音声通信を実行することを決定するステップと、
前記第1のコントローラが、前記第2のアンテナの音声通信タイプを決定するステップと、
を含み、
前記第1のコントローラが事前設定された対応関係に従って前記第2のアンテナ及び前記WiFiアンテナの送信電力を取得する前記ステップは、
前記第1のコントローラが、事前設定された第3及び第4の対応関係に従って、前記第2のアンテナ及び前記WiFiアンテナの前記送信電力を決定するステップであって、前記第3の対応関係は、前記第2のアンテナの前記音声通信タイプと、前記無線通信端末がWiFiアクセススポットとして設定されることとに基づいて、前記第2のアンテナの前記送信電力を決定するのに用いられ、前記第4の対応関係は、前記第2のアンテナの前記音声通信タイプと、前記無線通信端末がWiFiアクセススポットとして設定されることとに基づいて、前記WiFiアンテナの前記送信電力を決定するのに用いられる、ステップ、
を含む、請求項2に記載の方法。
【請求項７】
前記第1のコントローラが、前記第1のアンテナが動作状態にあることを決定する前記ステップは、
前記第1のコントローラが、前記無線通信端末が前記第1のアンテナを用いてデータ伝送を実行することを決定するステップ、
を含み、
前記第1のコントローラが事前設定された対応関係に従って前記第1のアンテナ及び前記WiFiアンテナの送信電力を取得する前記ステップは、
前記第1のコントローラが、事前設定された第5及び第6の対応関係に従って、前記第1のアンテナ及び前記WiFiアンテナの前記送信電力を決定するステップであって、前記第5の対応関係は、前記第1のアンテナがデータ伝送を実行することと、前記無線通信端末がWiFiアクセススポットとして設定されることとに基づいて、前記第1のアンテナの前記送信電力を決定するのに用いられ、前記第6の対応関係は、前記第1のアンテナがデータ伝送を実行することと、前記無線通信端末がWiFiアクセススポットとして設定されることとに基づいて、前記WiFiアンテナの前記送信電力を決定するのに用いられる、ステップ、
を含む、請求項1又は2に記載の方法。
【請求項８】
前記第1のコントローラが前記第2のアンテナが動作状態に切り替えられることを決定する前記ステップは、
前記第1のコントローラが、前記無線通信端末が前記第1のアンテナから前記第2のアンテナに切り替えてデータ伝送を実行することを決定するステップ、
を含み、
前記第1のコントローラが事前設定された対応関係に従って前記第2のアンテナ及び前記WiFiアンテナの送信電力を取得する前記ステップは、
前記第1のコントローラが、事前設定された第7及び第8の対応関係に従って、前記第2のアンテナ及び前記WiFiアンテナの前記送信電力を決定するステップであって、前記第7の対応関係は、前記第2のアンテナがデータ伝送を実行することと、前記無線通信端末がWiFiアクセススポットとして設定されることとに基づいて、前記第2のアンテナの前記送信電力を決定するのに用いられ、前記第8の対応関係は、前記第2のアンテナがデータ伝送を実行することと、前記無線通信端末がWiFiアクセススポットとして設定されることとに基づいて、前記WiFiアンテナの前記送信電力を決定するのに用いられる、ステップ、
を含む、請求項2に記載の方法。
【請求項９】
前記第1のアンテナの前記音声通信タイプは、第1の音声通信タイプ及び第2の音声通信タイプを含み、前記第2の音声通信タイプは、前記第1の音声通信タイプよりも高い通信レベルを有する、
請求項3又は5に記載の方法。
【請求項１０】
前記第2のアンテナの前記音声通信タイプは、第1の音声通信タイプ及び第2の音声通信タイプを含み、前記第2の音声通信タイプは、前記第1の音声通信タイプよりも高い通信レベルを有する、
請求項4又は6に記載の方法。
【請求項１１】
前記第1のコントローラは、前記第1のアンテナ又は前記第2のアンテナの前記音声通信タイプを決定する、
請求項1乃至10のいずれか一項に記載の方法。
【請求項１２】
前記WiFiアンテナの前記送信電力は、前記WiFiアンテナに対応する標準WiFi送信電力よりも小さく、
前記第1のアンテナの前記送信電力は、前記第1のアンテナに対応する標準アンテナ送信電力よりも小さいか、又は、前記第2のアンテナの前記送信電力は、前記第2のアンテナに対応する標準アンテナ送信電力よりも小さい、
請求項1乃至11のいずれか一項に記載の方法。
【請求項１３】
第1のコントローラ、第2のコントローラ、WiFiコントローラ、第1のアンテナ、第2のアンテナ及びWiFiアンテナを備える無線通信端末であって、
前記第1のコントローラは、
前記第1のアンテナが動作状態にあることを決定し、前記第1のコントローラは、動作状態にある前記第1のアンテナについて、前記第1のアンテナが音声通信中であるのか又はデータ伝送中であるのかを決定するように構成され、そして、さらに、前記第1のアンテナが音声通信中である場合に、音声通信タイプを決定するように構成され、
当該無線通信端末がWiFiアクセススポットとして設定されるか否かを決定し、
音声通信タイプ及び当該無線通信端末がWiFiアクセススポットとして設定されるか否かの組み合わせ、又は、データ伝送が実行されるか否か及び当該無線通信端末がWiFiアクセススポットとして設定されるか否かの組み合わせに基づいて、事前設定された対応関係に従って、前記第1のアンテナの送信電力及び前記WiFiアンテナの送信電力を取得し、前記第1のアンテナの動作状態は、前記音声通信タイプ及びデータ伝送が実行されるか否かを含み、前記WiFiアンテナの動作状態は、音声通信タイプ及びデータ伝送が実行されるか否かを含み、前記WiFiアンテナのサービスタイプは、当該無線通信端末がWiFiアクセススポットとして設定されるか否かを含み、そして、
前記第2のコントローラ及び前記WiFiコントローラにそれぞれ前記第1のアンテナの取得された前記送信電力及び前記WiFiアンテナの取得された前記送信電力を送信する、ように構成され、
前記第1のコントローラによって取得された前記第1のアンテナの前記送信電力及び前記WiFiアンテナの前記送信電力は、前記第2のコントローラ及び前記WiFiコントローラが前記第1のアンテナの前記送信電力及び前記WiFiアンテナの前記送信電力を受信した後、前記第1のアンテナの前記送信電力及び前記WiFiアンテナの前記送信電力に従って伝送を実行するように前記第1のアンテナ及び前記WiFiアンテナをそれぞれ制御するのに用いられる、
無線通信端末。
【請求項１４】
前記第1のコントローラは更に、前記第2のアンテナが動作状態に切り替えられることを決定するように構成され、
事前設定された対応関係に従って、前記第2のアンテナ及び前記WiFiアンテナの送信電力を取得するように構成され、
前記送信電力をそれぞれ前記第2のコントローラと前記WiFiコントローラに送信するように構成され、
前記第1のコントローラによって取得された前記第2のアンテナ及び前記WiFiアンテナの前記送信電力は、前記第2のコントローラ及び前記WiFiコントローラが前記送信電力を受信した後、それぞれ前記第2のアンテナと前記WiFiアンテナを前記送信電力に従って伝送を実行するように制御するのに用いられる、
請求項13に記載の無線通信端末。
【請求項１５】
光学近接センサを更に備え、
前記第1のコントローラは更に、前記光学近接センサがトリガされたことを決定するように構成され、
前記第1のアンテナが動作状態にあることを決定することは、
前記無線通信端末が前記第1のアンテナを用いて音声通信を実行することを決定し、前記第1のアンテナの音声通信タイプを決定することを含み、
事前設定された対応関係に従って、前記第1のアンテナ及び前記WiFiアンテナの送信電力を取得することは、
事前設定された第9及び第10の対応関係に従って、前記第1のアンテナ及び前記WiFiアンテナの前記送信電力を決定することを含み、
前記第9の対応関係は、前記第1のアンテナの前記音声通信タイプと、前記無線通信端末がWiFiアクセススポットとして設定されることと、前記光学近接センサがトリガされたこととに基づいて、前記第1のアンテナの前記送信電力を決定するのに用いられ、
前記第10の対応関係は、前記第1のアンテナの前記音声通信タイプと、前記無線通信端末がWiFiアクセススポットとして設定されることと、前記光学近接センサがトリガされたこととに基づいて、前記WiFiアンテナの前記送信電力を決定するのに用いられる、
請求項13又は14に記載の無線通信端末。
【請求項１６】
プログラムが記録されたコンピュータ可読記憶媒体であって、前記プログラムは、コンピュータに、請求項1乃至12のいずれか一項に記載の方法を実行させる、コンピュータ可読記憶媒体。
【請求項１７】
請求項1乃至12のいずれか一項に記載の方法をコンピュータに実行させるプログラム。
【発明の詳細な説明】
【技術分野】
【０００１】
本発明の実施形態は、通信分野に関し、特に、無線通信端末の送信電力を制御する方法及び無線通信端末に関する。
【背景技術】
【０００２】
情報技術の発展により、ユーザは、無線通信端末によってもたらされる様々な利便性を享受しながら、人々の健康に対する、無線通信端末の電磁放射の影響をますます意識するようになっている。この分野では、電磁放射は、通常、カウンタＳＡＲ（Specific  Absorption  Rate，比吸収率）を用いて測定される。したがって、電磁放射の低減は、ＳＡＲを低減することによって実現することができる。
【０００３】
一般に、当業者は、アンテナの送信電力を低減することにより、無線通信端末の電磁放射を低減する。しかしながら、アンテナの送信電力を低減すると、通信品質が低下するおそれがある。したがって、送信電力の低減と通信品質の確保とのバランスを考慮する必要がある。
【０００４】
携帯電話を例にとると、既存の携帯電話は強力な機能を有し、上部アンテナや下部アンテナなどの複数のアンテナを備える。したがって、マルチアンテナシナリオにおいて、通信品質に影響を与えることなく携帯電話の電磁放射を低減するために、アンテナの送信電力をいかに正確に制御するかが、解決されるべき緊急の課題となっている。
【発明の概要】
【０００５】
本発明の実施形態は、マルチアンテナ無線通信端末の送信電力を制御し、更に通信品質に影響を与えることなく携帯電話の電磁放射を低減するために、無線通信端末の送信電力を制御する方法及び無線通信端末を提供する。
【０００６】
第１の態様によれば、本発明の実施形態は、無線通信端末の送信電力を制御する方法を提供する。無線通信端末は、第１のコントローラ、第２のコントローラ、第１のアンテナ及び第２のアンテナを備える。本方法は、第１のコントローラが、第１のアンテナが動作状態にあることを決定するステップと、第１のコントローラが、事前設定された対応関係に従って第１のアンテナの送信電力を取得し、第１のアンテナの送信電力を第２のコントローラに送信するステップと、を含み、第１のコントローラによって取得された第１のアンテナの送信電力は、第２のコントローラが第１のアンテナの送信電力を受信した後、第１のアンテナを送信電力に従って伝送を実行するように制御するのに用いられる。このように、無線通信端末はまず第１のアンテナと第２のアンテナのうち第１のアンテナが動作状態にあると決定してから、第１のアンテナの送信電力を制御する。したがって、アンテナの使用状態を正確に特定することができ、これは電磁放射を正確に制御するのに役立つ。送信電力を低減することにより電磁放射を低減することができるが、過度に低い送信電力は通信品質に影響を与えてしまう。したがって、ランダムに送信電力を設定することはできず、適切な値を予め決定する必要がある。本発実施の本実施形態では、第１のアンテナの送信電力が事前設定された対応関係に従って決定されることと、対応関係がアンテナシナリオに固有の適切な送信電力値を含むこととを提案する。結論として、本発明の本実施形態では、通信品質に影響を与えることなく、電磁放射を正確に制御することができる。
【０００７】
任意に、本方法は更に、第１のコントローラが、第２のアンテナが動作状態に切り替えられることを決定するステップと、第１のコントローラが、事前設定された対応関係に従って第２のアンテナの送信電力を取得し、第２のアンテナの送信電力を第２のコントローラに送信するステップと、を含み、第１のコントローラによって取得された第２のアンテナの送信電力は、第２のコントローラが第２のアンテナの送信電力を受信した後、第２のアンテナを送信電力に従って伝送を実行するように制御するのに用いられる。このように、第１のアンテナから第２のアンテナへの切替えが実行された後、無線通信端末は、事前設定された送信電力に従って、第２のアンテナの伝送を制御する。したがって、通信品質に影響を与えることなく、電磁放射を正確に制御することができる。
【０００８】
第２の態様によれば、本発明の実施形態は、無線通信端末の送信電力を制御する方法を提供する。無線通信端末は、第１のコントローラ、ＷｉＦｉコントローラ及びＷｉＦｉアンテナを備える。本方法は、第１のコントローラが、ＷｉＦｉアンテナが動作状態にあることを決定し、ＷｉＦｉアンテナのサービスタイプを決定するステップと、第１のコントローラが、事前設定された対応関係に従ってＷｉＦｉアンテナの送信電力を取得し、ＷｉＦｉアンテナの送信電力をＷｉＦｉコントローラに送信するステップと、を含み、第１のコントローラによって取得されたＷｉＦｉアンテナの送信電力は、ＷｉＦｉコントローラがＷｉＦｉアンテナの送信電力を受信した後、ＷｉＦｉアンテナを送信電力に従って伝送を実行するように制御するのに用いられる。このように、ＷｉＦｉサービスタイプが決定され、事前設定された対応関係に従って、ＷｉＦｉアンテナの送信電力が制御される。したがって、通信品質に影響を与えることなく、電磁放射を正確に制御することができる。
【０００９】
第３の態様によれば、本発明の実施形態は、無線通信端末の送信電力を制御する方法を提供する。無線通信端末は、第１のコントローラ、第２のコントローラ、ＷｉＦｉコントローラ、第１のアンテナ、第２のアンテナ及びＷｉＦｉアンテナを備える。本方法は、第１のコントローラが、第１のアンテナが動作状態にあることを決定するステップと、第１のコントローラが、無線通信端末がＷｉＦｉアクセススポットとして設定されることを決定するステップと、第１のコントローラが、事前設定された対応関係に従って、第１のアンテナ及びＷｉＦｉアンテナの送信電力を取得し、送信電力をそれぞれ第２のコントローラとＷｉＦｉコントローラに送信するステップと、を含み、第１のコントローラによって取得された第１のアンテナ及びＷｉＦｉアンテナの送信電力は、第２のコントローラ及びＷｉＦｉコントローラが送信電力を受信した後、それぞれ第１のアンテナとＷｉＦｉアンテナを送信電力に従って伝送を実行するように制御するのに用いられる。本発明の本実施形態によれば、第１のアンテナとＷｉＦｉアンテナの両方が動作状態にあると決定されることがあり、事前設定された対応関係に従って、第１のアンテナ及びＷｉＦｉアンテナの送信電力が制御される。したがって、通信品質に影響を与えることなく、電磁放射を正確に制御することができる。
【００１０】
任意に、本方法は更に、第１のコントローラが、第２のアンテナが動作状態に切り替えられることを決定するステップと、第１のコントローラが、事前設定された対応関係に従って、第２のアンテナ及びＷｉＦｉアンテナの送信電力を取得し、送信電力をそれぞれ第２のコントローラとＷｉＦｉコントローラに送信するステップと、を含み、第１のコントローラによって取得された第２のアンテナ及びＷｉＦｉアンテナの送信電力は、第２のコントローラ及びＷｉＦｉコントローラが送信電力を受信した後、それぞれ第２のアンテナとＷｉＦｉアンテナを送信電力に従って伝送を実行するように制御するのに用いられる。第１のアンテナから第２のアンテナへの切替えが実行された後、無線通信端末は、第２のアンテナとＷｉＦｉアンテナの両方が動作状態にあると決定し、事前設定された対応関係に従って、第２のアンテナ及びＷｉＦｉアンテナの送信電力が制御される。したがって、通信品質に影響を与えることなく、電磁放射を正確に制御することができる。
【００１１】
第４の態様によれば、本発明の実施形態は、無線通信端末の送信電力を制御する方法を提供する。無線通信端末は、コントローラ、第１のアンテナ及び第２のアンテナを備える。本方法は、コントローラが、第１のアンテナが動作状態にあることを決定するステップと、コントローラが、事前設定された対応関係に従って第１のアンテナの送信電力を取得するステップと、コントローラが、第１のアンテナを送信電力に従って伝送を実行するように制御するステップと、を含む。このように、無線通信端末はまず、第１のアンテナと第２のアンテナのうち第１のアンテナが動作状態にあることを決定してから、第１のアンテナの送信電力を制御する。したがって、アンテナの使用状態を正確に特定することができ、これは電磁放射を正確に制御するのに役立つ。送信電力を低減することにより電磁放射を低減することができるが、過度に低い送信電力は通信品質に影響を与えてしまう。したがって、ランダムに送信電力を設定することはできず、適切な値を予め決定する必要がある。本発実施の本実施形態では、第１のアンテナの送信電力が事前設定された対応関係に従って決定されることと、対応関係がアンテナシナリオに固有の適切な送信電力値を含むこととを提案する。結論として、本発明の本実施形態では、通信品質に影響を与えることなく、電磁放射を正確に制御することができる。
【００１２】
任意に、本方法は更に、コントローラが、第２のアンテナが動作状態に切り替えられることを決定するステップと、コントローラが、事前設定された対応関係に従って第２のアンテナの送信電力を取得するステップと、コントローラが、第２のアンテナを送信電力に従って伝送を実行するように制御するステップと、を含む。このように、第１のアンテナから第２のアンテナへの切替えが実行された後、無線通信端末は、事前設定された送信電力に従って、第２のアンテナの伝送を制御する。したがって、通信品質に影響を与えることなく、電磁放射を正確に制御することができる。
【００１３】
第５の態様によれば、本発明の実施形態は、無線通信端末の送信電力を制御する方法を提供する。無線通信端末は、コントローラ、ＷｉＦｉコントローラ及びＷｉＦｉアンテナを備える。本方法は、コントローラが、ＷｉＦｉアンテナが動作状態にあることを決定し、ＷｉＦｉアンテナのサービスタイプを決定するステップと、コントローラが、事前設定された対応関係に従ってＷｉＦｉアンテナの送信電力を取得し、ＷｉＦｉアンテナの送信電力をＷｉＦｉコントローラに送信するステップと、を含み、コントローラによって取得されたＷｉＦｉアンテナの送信電力は、ＷｉＦｉコントローラがＷｉＦｉアンテナの送信電力を受信した後、ＷｉＦｉアンテナを送信電力に従って伝送を実行するように制御するのに用いられる。このように、ＷｉＦｉサービスタイプが決定され、事前設定された対応関係に従ってＷｉＦｉアンテナの送信電力が制御される。したがって、通信品質に影響を与えることなく、電磁放射を正確に制御することができる。
【００１４】
第６の態様によれば、本発明の実施形態は、無線通信端末の送信電力を制御する方法を提供する。無線通信端末は、コントローラ、ＷｉＦｉコントローラ、第１のアンテナ、第２のアンテナ及びＷｉＦｉアンテナを備える。本方法は、コントローラが、第１のアンテナが動作状態にあることを決定するステップと、コントローラが、無線通信端末がＷｉＦｉアクセススポットとして設定されることを決定するステップと、コントローラが、事前設定された対応関係に従って、第１のアンテナ及びＷｉＦｉアンテナの送信電力を取得するステップと、コントローラが、ＷｉＦｉアンテナの送信電力をＷｉＦｉコントローラに送信するステップであって、ＷｉＦｉアンテナの送信電力は、ＷｉＦｉコントローラがＷｉＦｉアンテナの送信電力を受信した後、ＷｉＦｉアンテナをＷｉＦｉアンテナの送信電力に従って伝送を実行するように制御するのに用いられる、ステップと、コントローラが、第１のアンテナを第１のアンテナの送信電力に従って伝送を実行するように制御するステップと、を含む。本発明の本実施形態によれば、第１のアンテナとＷｉＦｉアンテナの両方が動作状態にあると決定されることがあり、事前設定された対応関係に従って、第１のアンテナ及びＷｉＦｉアンテナの送信電力が制御される。したがって、通信品質に影響を与えることなく、電磁放射を正確に制御することができる。
【００１５】
任意に、本方法は更に、コントローラが、第２のアンテナが動作状態に切り替えられることを決定するステップと、コントローラが、事前設定された対応関係に従って、第２のアンテナ及びＷｉＦｉアンテナの送信電力を取得するステップと、コントローラが、ＷｉＦｉアンテナの送信電力をＷｉＦｉコントローラに送信するステップであって、ＷｉＦｉアンテナの送信電力は、ＷｉＦｉコントローラがＷｉＦｉアンテナの送信電力を受信した後、ＷｉＦｉアンテナをＷｉＦｉアンテナの送信電力に従って伝送を実行するように制御するのに用いられる、ステップと、コントローラが、第２のアンテナを第２のアンテナの送信電力に従って伝送を実行するように制御するステップと、を含む。第１のアンテナから第２のアンテナへの切替えが実行された後、無線通信端末は、第２のアンテナとＷｉＦｉアンテナの両方が動作状態にあると決定し、事前設定された対応関係に従って、第２のアンテナ及びＷｉＦｉアンテナの送信電力が制御される。電磁放射線を通信品質に影響を与えずに正確に制御することができる。
【００１６】
更に、上記の方法では、光学近接センサがトリガされたか否かを組み合わせて用いて、ユーザが無線通信端末に近接しているか否か（例えば、ユーザが携帯電話を頭部の近くで保持して音声通信をおこなっているか否か）が決定されてよく、そして、アンテナの送信電力は事前設定された関係に従って制御される。したがって、通信品質に影響を与えることなく、電磁放射をより正確に制御することができる。
【００１７】
更に、本発明は更に、上記の方法に対応する、無線通信端末を制御するための装置、及び無線通信端末を提供する。
【００１８】
結論として、本発明の実施形態における方法及び無線通信端末によれば、通信品質に影響を与えることなく、電磁放射を正確に制御することができる。
【図面の簡単な説明】
【００１９】
本発明の実施形態の技術的解決策をより明確に説明するために、実施形態を説明するために必要な添付図面を簡単に説明する。当然ながら、以下の説明において添付の図面は、本発明の一部の実施形態を示すに過ぎない。当業者であれば、創意工夫なしにこれらの添付図面から他の図面を更に導出することができるであろう。
【図１】本発明の実施形態に係る無線通信端末の概略構造図である。
【図２】本発明の実施形態に係る無線通信端末の内部アーキテクチャの概略図である。
【図３】実施形態１に係る、無線通信端末の送信電力を制御する方法のフローチャートである。
【図４】実施形態１に係る、無線通信端末の送信電力を制御する方法の別のフローチャートである。
【図５】実施形態２に係る、無線通信端末の送信電力を制御する方法のフローチャートである。
【図６】実施形態３に係る、無線通信端末の送信電力を制御する方法のフローチャートである。
【図７】実施形態３に係る、無線通信端末の送信電力を制御する方法の別のフローチャートである。
【図８】本発明の実施形態に係る、無線通信端末の別の概略構造図である。
【図９】本発明の実施形態に係る、無線通信端末の更に別の概略構造図である。
【図１０】本発明の実施形態に係る、無線通信端末の更に別の概略構造図である。
【図１１】実施形態７に係る、無線通信端末の送信電力を制御する方法のフローチャートである。
【図１２】実施形態７に係る、無線通信端末の送信電力を制御する方法の別のフローチャートである。
【図１３】実施形態８に係る、無線通信端末の送信電力を制御する方法のフローチャートである。
【図１４】実施形態９に係る、無線通信端末の送信電力を制御する方法のフローチャートである。
【図１５】実施形態９に係る、無線通信端末の送信電力を制御する方法の別のフローチャートである。
【発明を実施するための形態】
【００２０】
以下、本発明の実施形態における添付図面を参照して、本発明の実施形態における技術的解決方法を明確に説明する。当然ながら、説明される実施形態は、本発明の実施形態の一部に過ぎず全部ではない。当業者が本発明の実施形態に基づいて得た他の実施形態は、全て、本発明の保護範囲に包含されるものとする。
【００２１】
本発明の実施形態の無線通信端末は、携帯電話やタブレットコンピュータ等を含んでよい。
【００２２】
図１は、本発明の実施形態に関連する無線通信端末100の構造の一部の概略図を示す。本発明の実施形態の説明では携帯電話が用いられるが、限定を構成するものではない。
【００２３】
図１を参照する。無線通信端末100は、アンテナ101〜103、光学近接センサ104、コントローラ105及びメモリ106を備えてよい。
【００２４】
アンテナ101は通常、下部アンテナ又は１次アンテナと呼ばれる。対応して、アンテナ102は通常、上部アンテナ又は２次アンテナと呼ばれる。アンテナ103はＷｉＦｉアンテナである。図１を参照すると、下部アンテナ101は更に、音声アンテナ1011とデータアンテナ1012に分けられてよい。容易に理解できるように、携帯電話が通信をおこなうときは、少なくとも音声通信とデータ通信が含まれる。したがって、下部アンテナ101は更に、それぞれ音声通信とデータ伝送に対応する音声アンテナ1011とデータアンテナ1012に分けられてよい。上部アンテナ102も更に、音声アンテナとデータアンテナに分けられてよい。ＷｉＦｉアンテナ103の構造レイアウトを考慮すると、上部アンテナ102は更に分割されなくてよい（図１では更なる分割が提供されていない）。ＷｉＦｉアンテナ103は、上部アンテナ102のどちらかの側にも配置されてよい。容易に理解できるように、携帯電話は、ＷｉＦｉを用いて、データ伝送をおこなったり、アクセスホットスポットとして機能したり、音声通信を実行したりすることができる。当業者であれば、アンテナのレイアウトは単なる例であり、限定を構成するものではないことを理解できるであろう。
【００２５】
光学近接センサ104は、一般に、赤外線距離測定の原理を用いて、障害物からセンサまでの距離を決定する。携帯電話では、光学近接センサ104は通常、携帯電話から頭部までの距離を決定するのに用いられる。
【００２６】
コントローラ105は、無線通信端末100の制御中心である。コントローラ105は、様々なインタフェース及び回線を用いて、無線通信端末全体のパーツを接続する。コントローラ105は、メモリ106に記憶されたソフトウェアプログラム及び／又はモジュールを実行又は執行し、メモリ106に記憶されたデータを呼び出すことにより、無線通信端末100の様々な機能を実行して、無線通信端末に対して全体のモニタリングをおこなうことができる。一例では、コントローラはマイクロプロセッサであってよい。図１を参照すると、コントローラ105は更に、アプリケーションプロセッサ1051（AP）と通信プロセッサ1052（Modem）など、２つのコントローラに分けられてよい。
【００２７】
メモリ106は、ソフトウェアプログラム及び関連データを記憶するように構成されてよい。コントローラ151は、メモリ106に記憶されたソフトウェアプログラム及びデータを実行して、無線通信端末100と様々な機能アプリケーションを執行し、データを処理する。メモリ106は主に、プログラム記憶領域及びデータ記憶領域を含んでよい。加えて、メモリ106は、高速ランダムアクセスメモリを含んでよく、更に、少なくとも１つの磁気ディスク記憶装置などの不揮発性メモリ、フラッシュメモリコンポーネント、或いは別の揮発性ソリッドステート記憶装置を含んでよい。
【００２８】
当業者であれば、図１に示される無線通信端末の構造が、無線通信端末に対する限定を構成しないことを理解できるであろう。当業者であれば、一部のコンポーネントを除去すること、いくつかのコンポーネントを追加すること、或いは図１の一部のコンポーネントを他のコンポーネントに置き換えることなど、要件に従って、図１の構造に適切な改変をおこなうことができるであろう。
【００２９】
携帯電話を例として用いる。図２は、本発明の実施形態に係る、Ａｎｄｒｏｉｄオペレーティングシステム上で動作する携帯電話の内部アーキテクチャである。
【００３０】
図２を参照すると、携帯電話は、通信コントローラ（modem）、ＷｉＦｉチップセット（WiFi  chipset）及び光学近接センサ（optical  proximity  sensor）を含む。
【００３１】
通信コントローラ（modem）は、上部アンテナ又は下部アンテナの送信電力を制御するように構成されてよい。本発明の本実施形態では、通信コントローラ（modem）にコード又はモジュールが追加されて、アンテナ・スイッチ・モニタ・ユニット（antenna  switch  monitor）が構成されてよい。アンテナ・スイッチ・モニタ・ユニットは、音声通信のタイプやデータ伝送が行われるか否かを含む、上部アンテナか下部アンテナのいずれかが動作状態にあることを把握するように構成されてよい。
【００３２】
ＷｉＦｉチップセット（WiFi  chipset）は、別の端末とデータ伝送をおこなうこと、アクセスホットスポットとして機能すること、或いはＷｉＦｉ音声通信をおこなうことを含む、ＷｉＦｉネットワークを確立するように構成される。
【００３３】
光学近接センサ（proximity  sensor）は、赤外線反射の原理を用いて、携帯電話が頭部に近接しているか否かを決定するように構成されてよい。
【００３４】
更に、携帯電話は更に、Telephonyマネージャ（TelephonyManager）、ＷｉＦｉマネージャ（WiFiManager）、センサマネージャ（SensorManager）及びＲＩＬＤ（Radio  Interface  Layer  Deamon）を含む。
【００３５】
Telephonyマネージャ（TelephonyManager）は、携帯電話のＳＩＭについての状態及び情報や、携帯電話の電気通信ネットワーク状態及びユーザ情報など、携帯電話通信に関連する状態及び情報にアクセスするための一連の取得方法を提供する。
【００３６】
ＷｉＦｉマネージャ（WiFiManager）は、ＷｉＦｉ接続を管理するためのほとんどのＡＰＩ（Application  Programming  Interface、アプリケーション・プログラミング・インタフェース）を提供し、ＷｉＦｉネットワーク接続を管理、作成又は無効化し、ＷｉＦｉネットワークについての動的情報を照会するように構成される。
【００３７】
センサマネージャ（SensorManager）はセンサを管理するように構成され、センサのタイプ、センサの値などを取得することができる。
【００３８】
ＲＩＬＤ（Radio  Interface  Layer  Deamon）は、通信コントローラ（modem）に下方接続され、上層のアプリケーションに関連するＪａｖａライブラリに上方接続される。本発明の本実施形態では、ＲＩＬＤは、通信コントローラ（modem）から、上部アンテナ又は下部アンテナが動作状態であること（音声通信タイプや、データ伝送が実行されるか否かを含む）を把握してよく、更に、以下に説明されるＳＡＲサービスアプリケーション（Sar  service）のコントローラ（controller）から、アンテナの送信電力を取得してよい。
【００３９】
ＳＡＲサービスアプリケーション（Sar  service）は、アプリケーションプロセッサ（AP）で動作する機能モジュールであってよい。具体的には、ＳＡＲサービスアプリケーション（Sar  service）は、モニタ（monitor）とコントローラ（controller）を含んでよい。
【００４０】
モニタ（monitor）は、Telephonyマネージャ（TelephonyManager）に登録して、上部アンテナ又は下部アンテナが動作状態にあること（音声通信タイプや、データ伝送が実行されるか否かを含む）を把握してよい。或いは、モニタ（monitor）は、ＲＩＬＤ（Radio  Interface  Layer  Deamon）に登録し、通信コントローラ（modem）から、ＲＩＬＤ（Radio  Interface  Layer  Deamon）を用いて、上部アンテナ又は下部アンテナが動作状態にあること（音声通信タイプや、データ伝送が実行されるか否かを含む）を把握してよい。或いは、モニタ（monitor）は、ＷｉＦｉマネージャ（WiFiManager）を用いて、ＷｉＦｉチップセット（WiFi  chipset）の動作状態を把握してよい（ＷｉＦｉチップセットがＷｉＦｉｎｅｔｗｏｒｋを確立するか否か、別の端末とデータ伝送をおこなうか否か、アクセスホットスポットとして機能するか否か、或いはＷｉＦｉ音声通信をおこなうか否かを含む）。
【００４１】
コントローラ（controller）は、アンテナの動作状態に従って、アンテナの送信電力を取得するように構成される。携帯電話は、アンテナの動作状態とアンテナの送信電力との間の対応関係、例えば真理値表を事前に記憶する。このように、モニタ（monitor）からアンテナの動作状態を取得した後、コントローラ（controller）は、真理値表に従ってアンテナの送信電力を決定してよい。詳細については、以下の実施形態を参照されたい。アンテナの送信電力を決定した後、コントローラ（controller）は、ＲＩＬＤ（Radio  Interface  Layer  Deamon）を用いて、通信コントローラ（modem）に、対応するアンテナの送信電力を制御するように指示してよい。
【００４２】
加えて、携帯電話は更にＷｉＦｉコントローラを含む。ＷｉＦｉコントローラは、ＲＩＬＤ（Radio  Interface  Layer  Deamon）からＷｉＦｉアンテナの送信電力を受信し、ＷｉＦｉチップセットを、受信された送信電力に従って伝送をおこなうように制御するように構成される。
【００４３】
加えて、モニタ（monitor）は更に、センサマネージャ（SensorManager）から、光学近接センサ（proximity  sensor）がトリガされたか否かを把握する。対応して、コントローラ（controller）は更に、アンテナの動作状態と、光学近接センサがトリガされたか否かとに基づいて、アンテナの送信電力を決定する。
【００４４】
なお、図２ではアプリケーションプロセッサ（AP）は示されていないが、上記で説明されたＳＡＲサービスアプリケーション（Sar  service）、Telephonyマネージャ（TelephonyManager）、ＷｉＦｉマネージャ（WiFiManager）、センサマネージャ（SensorManager）、ＲＩＬＤ（Radio  Interface  Layer  Deamon）及びＷｉＦｉコントローラは、全てアプリケーションプロセッサ（AP）で動作する。
【００４５】
加えて、既存のＡｎｄｒｏｉｄアーキテクチャと比較して、本発明の本実施形態では、ＳＡＲサービスアプリケーション（Sar  service）が追加される。また、通信コントローラ（modem）は、アンテナ・スイッチ・モニタ・ユニット（antenna  switch  monitor）を含む。
【００４６】
これらは、以下に説明されるアンテナの送信電力の制御に密接に関連する。
【００４７】
当業者であれば、本発明の本実施形態における音声通信端末が、少なくとも、以下の実施形態のうちいずれか１つにおけるステップ又は機能を実行してよいことが理解できるであろう。
【００４８】
実施形態１
図３は、本発明の実施形態に係る、無線通信端末によって実施される、送信電力を制御するための方法のフローチャートである。当業者であれば理解できるように、本発明の本実施形態と以下の実施形態に記載の方法は、特定の順序で複数の操作を含むが、これらの方法に含まれる操作は多くても少なくてもよく、これらの操作は順次に実行されてもよいし、同時に実行されてもよいし、これらの順序間に厳密な順序はない。
【００４９】
本発明の本実施形態では、第１のコントローラがアプリケーションプロセッサ（AP）であり、第２のコントローラが通信コントローラ（modem）である例を説明に用いる。これは限定を構成しない。
【００５０】
ステップ301．第１のコントローラが、第１のアンテナが動作状態にあることを決定する。
【００５１】
携帯電話は、下部アンテナ101及び上部アンテナ102を備え、アプリケーションプロセッサ（AP）は、下部アンテナ101又は上部アンテナ102が動作状態にあるか否かを決定する必要がある。上述したように、取得方式は、ＲＩＬＤ（Radio  Interface  Layer  Deamon）が、通信コントローラ（modem）から、下部アンテナ101又は上部アンテナ102が動作状態であることを把握することを含んでよい。具体的には、アンテナ・スイッチ・モニタ・ユニット（antenna  switch  monitor）は、モニタリングにより、下部アンテナ101又は上部アンテナ102  が動作状態にあるか否かを把握してよい。例えば、ＲＩＬＤ（Radio  Interface  Layer  Deamon）が、下部アンテナ101が動作状態であることを把握した後、ＲＩＬＤは、下部アンテナ101が動作状態にあるという情報をＳＡＲサービスアプリケーション（Sar  service）のモニタ（monitor）に送信する。
【００５２】
当然ながら、モニタ（monitor）がTelephonyマネージャ（TelephonyManager）に登録して、例えば下部アンテナ101が動作状態にあることを把握することであってよい。ここで限定は設定されない。
【００５３】
更に、第１のコントローラは、動作状態にある下部アンテナ101が音声通信中であるのか又はデータ伝送中であるのかを決定してよく、動作状態にある下部アンテナ101が音声通信中である場合、下部アンテナ101が２Ｇ／３Ｇ音声通話をおこなうのか、ＶｏＬＴＥ（Voice  over  Long  term  Evolution）を含む４Ｇ音声通話をおこなうのかを決定する。具体的には、全ての情報は、通信コントローラ（modem）又はTelephonyマネージャ（TelephonyManager）を用いて取得されてよい。ここで、例示の２Ｇ／３Ｇ音声通信とＶｏＬＴＥ（Voice  over  Long  term  Evolution）を含む４Ｇ音声通信とは、２つの音声通信タイプ間の違いを説明するために用いられるに過ぎず、後者の音声通信タイプは、前者の音声通信タイプよりも高度である。ただし、これは限定を構成するものではなく、以下の同様のケースもこの通りである。
【００５４】
ステップ302．第１のコントローラが、事前設定された対応関係に従って第１のアンテナの送信電力を取得し、第１のアンテナの送信電力を第２のコントローラに送信する。
【００５５】
アンテナの動作状態とアンテナの送信電力との対応関係は、携帯電話に事前設定される（例えば真理値表）。以下に、事前設定された真理値表を示す。対応関係は別の形式であってもよく、ここでは詳細は提供されないことを理解されたい。
【００５６】
表１は真理値表の一部である。第１列は状態シーケンス番号であり、第２列はアンテナ動作状態であり、第３列は対応するアンテナの送信電力である。容易に理解できるように、真理値表の値は例のために用いられるに過ぎず、限定を構成するものではなく、以下の実施形態でもこの通りである。
【００５７】
表１から把握できるように、本発実施の本実施形態では、２Ｇ／３Ｇ音声通話の例として、ＧＳＭ（Global  System  for  Mobile  Communications，移動通信用グローバルシステム）、ＷＣＤＭＡ（Wideband  Code  Division  Multiple  Access，広帯域符号分割多元接続）及びＣＤＭＡ（Code  Division  Multiple  Access，符号分割多元接続）が用いられ、４Ｇ音声通信の例としてＬＴＥ  ＦＤＤ（Frequency  Division  Duplex，周波数分割二重化）及びＬＴＥ  ＴＤＤ（Time  Division  Duplex，時分割二重化）が用いられる。
【００５８】
表１は、具体的には、アンテナの動作状態とアンテナの送信電力との対応関係をリストする。コントローラ（controller）は、真理値表に従って、対応するアンテナの送信電力を決定してよい。例えば、下部アンテナ101はＷＣＤＭＡ音声通信の動作状態にあり、コントローラ（controller）は下部アンテナ101の送信電力が２２．５ｄＢｍであると決定することができる。
【００５９】
なお、送信電力は、通信品質に影響を与えることなく電磁放射基準を満たすような、ＳＡＲを低減する要件が考慮された後に決定される、妥当な値である。すなわち、上記の送信電力は全て、標準送信電力よりも小さい。標準送信電力は、電磁放射を考慮せずに得られるアンテナの送信電力である。容易に理解できるように、ＳＡＲを低減することが考慮される場合、表１の送信電力は標準送信電力よりも小さい。好ましくは、事前設定された送信電力は、国の電磁放射の要件に従って、通信品質と組み合わせて、逆に決定することができる。
【００６０】
最後に、アンテナの取得された送信電力が通信コントローラ（modem）に送信される。一般に、ＲＩＬＤ（Radio  Interface  Layer  Deamon）は、コントローラ（controller）によって決定された送信電力を通信コントローラ（modem）に送信する。
【００６１】
ステップ303．第１のアンテナの送信電力を受信した後、第２のコントローラが、第１のアンテナを送信電力に従って伝送を実行するように制御する。
【００６２】
ＲＩＬＤによって送信された下部アンテナ101の送信電力（例えば２２．５ｄＢｍ）を受信した後、通信コントローラ（modem）は、下部アンテナ101を２２．５ｄＢｍで伝送を実行するように制御することができる。
【００６３】
このように、上記の説明から把握できるように、無線通信端末はまず、第１のアンテナと第２のアンテナのうち第１のアンテナが動作状態にあると決定してから、第１のアンテナの送信電力を制御する。したがって、アンテナの使用状態を正確に特定することができ、これは電磁放射を正確に制御するのに役立つ。加えて、事前設定された対応関係に従って、第１のアンテナの送信電力が決定される。対応関係は、アンテナの状態に固有の適切な送信電力を含む。結論として、本発明の本実施形態では、通信品質に影響を与えることなく、電磁放射を正確に制御することができる。
【００６４】
更に、本発明では、動作状態にあるアンテナについては、アンテナが音声通信中であるのかデータ伝送中であるのかを、更に決定してよい。アンテナが音声通信中である場合、音声通信タイプが更に決定されてよく、それによりアンテナの送信電力をより正確に制御することができる。このように、通信品質に影響を与えることなく電磁放射が制御される。
【００６５】
好ましくは、外部環境が変化したとき、上部アンテナ又は下部アンテナの動作状態が切り替えられる。例えば、動作状態にある下部アンテナ101をユーザの手が塞ぐと、携帯電話は、上部アンテナ102を動作状態に切り替える。上部アンテナ102が動作状態に切り替わった後、通信コントローラ（modem）のアンテナ・スイッチ・モニタ・ユニット（antenna  switch  monitor）は、モニタリングにより、上部アンテナ102が動作状態に切り替わったことを把握してから、上部アンテナ102がＷＣＤＭＡを用いて音声通信をおこなうことを把握し、更に、ＲＩＬＤ（Radio  Interface  Layer  Deamon）に通知する。上部アンテナ102がＷＣＤＭＡを用いて音声通信をおこなうという情報を受信した後、ＲＩＬＤ（Radio  Interface  Layer  Deamon）はその情報をモニタ（monitor）に送信する。或いは、Telephonyマネージャ（TelephonyManager）は、モニタリングにより、上部アンテナ102がＷＣＤＭＡを用いて音声通信をおこなうことを把握し、その後、モニタ（monitor）に通知してよい。モニタ（monitor）が、上部アンテナ102がＷＣＤＭＡを用いて音声通信をおこなう動作状態をコントローラ（controller）に送信した後、コントローラ（controller）は、事前設定された真理値表に従って、アンテナの送信電力が２２ｄＢｍであることを取得してよい。ＲＩＬＤが上部アンテナ102の送信電力を取得した後、ＲＩＬＤは、上部アンテナ102を２２ｄＢｍで伝送をおこなうように制御するように、通信コントローラ（modem）に指示してよい。
【００６６】
すなわち、図４から把握できるように、図３の方法に基づいて、実施形態１の送信電力を制御する方法は更に、以下のステップを含む。
【００６７】
ステップ304．第１のコントローラが、第２のアンテナが動作状態に切り替えられることを決定する。
【００６８】
ステップ305．第１のコントローラが、事前設定された対応関係に従って第２のアンテナの送信電力を取得し、第２のアンテナの送信電力を第２のコントローラに送信する。
【００６９】
ステップ306．第２のアンテナの送信電力を受信した後、第２のコントローラが、第２のアンテナを送信電力に従って伝送を実行するように制御する。
【００７０】
ステップ304〜306の説明については、ステップ301〜303を参照されたい。ここでは詳細を省略する。このように、第１のアンテナから第２のアンテナへの切替えが実行された後、無線通信端末が第２のアンテナの送信電力を制御する。したがって、通信品質に影響を与えることなく、電磁放射を正確に制御することができる。
【００７１】
好ましくは、第１のアンテナから第２のアンテナへの切替えが実行された後、通信コントローラ（modem）が第２のアンテナの事前設定された送信電力に従って第２のアンテナの伝送を制御する前に、通信コントローラ（modem）はまず、第２のアンテナの送信電力を標準送信電力に設定してから、事前設定された送信電力に従って第２のアンテナの伝送を制御してよい。このように、送信電力の切換えが実行されると、より良好な制御を論理的に実現することができる。同様に、そのような方法は以下の実施形態に適用されてよく、以下では詳細を省略する。
【００７２】
更に、ユーザが携帯電話を用いて音声通信をおこなうとき、ユーザは、頭部の近くで携帯電話を保持する方式で音声通信をおこなうこともあれば、イヤホンなどの付属品を用いて音声通信をおこなうこともある。当然ながら、携帯電話が頭部に近いときは、携帯電話の電磁放射は、頭部への放射を低減するために、できるだけ最小限にする必要がある。本発明の本実施形態では、更に、アンテナの送信電力をより正確に制御するために、光学近接センサがトリガされたか否かをモニタリングすることが提案される。
【００７３】
光学近接センサがトリガされた場合、携帯電話が頭部に非常に近い可能性があることを示す。そうでない場合、携帯電話が頭部から比較的離れている可能性があることを示す。
【００７４】
表２を参照すると、携帯電話において事前設定された真理値表に、光学近接センサがトリガされたか否かを示す状態が追加されている。対応して、アンテナの送信電力は表１のものとは異なる。
【００７５】
【表２】
0006700403.tif 000002
表２では、上部アンテナ102が音声通話をおこなうときに、ユーザが頭部の近くで携帯電話を保持する（光学近接センサがトリガされる）動作状態を、例として用いる。このように、本発明の本実施形態では、光学近接センサがトリガされたか否かを決定する条件が導入され、よって、無線通信端末はアンテナの送信電力をより正確に制御することができる。したがって、通信品質に影響を与えることなく電磁放射が制御される。
【００７６】
更に、ＳＡＲサービスアプリケーション（Sar  service）は開始状態にあり、これは携帯電話の電力を比較的多く消費する。したがって、好ましくは、ＳＡＲサービスアプリケーション（Sar  service）を開始するためのトリガ条件が設定されてよい。例えば、携帯電話がＷｉＦｉアクセスポイントに設定され、或いは、携帯電話がアンテナを用いて音声通信をおこなう。これにより、消費電力を低減することができる。
【００７７】
実施形態２
実施形態２は、送信電力を制御するための別の方法を提供する。同様の内容については、ここでは詳細の繰返しを省略する。実施形態１の具体的な説明を参照することができる。
【００７８】
本発明の本実施形態では、第１のコントローラがアプリケーションプロセッサ（AP）である例を説明に用いる。
【００７９】
図５を参照すると、本方法は以下のステップを含むことがわかる。
【００８０】
ステップ501．第１のコントローラが、ＷｉＦｉアンテナが動作状態にあることを決定し、ＷｉＦｉアンテナのサービスタイプを決定する。
【００８１】
任意に、第１のコントローラがＷｉＦｉアンテナのサービスタイプを決定することは、
第１のコントローラが、無線通信端末がＷｉＦｉを用いて音声通信を実行することを決定すること、又は、第１のコントローラが、無線通信端末がＷｉＦｉアクセススポットとして設定されることを決定すること、
を含む。
【００８２】
具体的には、図２を参照すると、ＷｉＦｉチップセット（WiFi  chipset）の動作状態を取得した後、ＷｉＦｉマネージャ（WiFiManager）は、ＷｉＦｉチップセットの動作状態をモニタ（monitor）に送信する。
【００８３】
ステップ502．第１のコントローラが、事前設定された対応関係に従ってＷｉＦｉアンテナの送信電力を取得し、ＷｉＦｉアンテナの送信電力をＷｉＦｉコントローラに送信する。
【００８４】
ＷｉＦｉアンテナの動作状態とＷｉＦｉアンテナの送信電力との間の真理値表は、携帯電話において事前設定される。モニタ（monitor）は、モニタによるモニタリングよって得られたＷｉＦｉアンテナの動作状態に従って、ＷｉＦｉアンテナの送信電力を取得し、ＷｉＦｉアンテナの送信電力をＲＩＬＤ（Radio  Interface  Layer  Deamon）に送信する。次に、ＲＩＬＤ（Radio  Interface  Layer  Deamon）は、ＷｉＦｉアンテナの送信電力をＷｉＦｉコントローラに送信する。
【００８５】
表３の真理値表は、ＷｉＦｉアンテナの動作状態とＷｉＦｉアンテナの送信電力との間の対応関係を示す。
【００８６】
【表３】
0006700403.tif 000003
ステップ503．ＷｉＦｉアンテナの送信電力を受信した後、ＷｉＦｉコントローラが、ＷｉＦｉアンテナを送信電力に従って伝送を実行するように制御する。
【００８７】
本発明の本実施形態から把握できるように、ＷｉＦｉのサービスタイプが決定され、ＷｉＦｉアンテナの送信電力が事前設定された対応関係に従って制御される。よって、通信品質に影響を与えることなく、電磁放射を正確に制御することができる。
【００８８】
更に、同様に、携帯電話がＷｉＦｉアンテナを用いて音声通信をおこなうとき、光学近接センサがトリガされたか否かを組み合わせて用いて、携帯電話がユーザの頭部に近いか否かを決定する。よって、送信電力がより正確に制御される。ここでは詳細を省略する。
【００８９】
実施形態３
実施形態３は更に、送信電力を制御するための別の方法を提供する。同様の内容については、ここでは詳細の繰返しを省略する。実施形態１及び実施形態２の具体的な説明を参照することができる。
【００９０】
図６を参照する。本方法は以下のステップを含む。
【００９１】
ステップ601．第１のコントローラが、第１のアンテナが動作状態にあることを決定し、第１のコントローラが、無線通信端末がＷｉＦｉアクセススポットとして設定されることを決定する。
【００９２】
本発明の本実施形態では、アンテナが組み合わされる。例えば、下部アンテナ101は動作状態にあり、ＷｉＦｉチップセットはＷｉＦｉネットワークを確立し、アクセスホットスポットとして機能する。
【００９３】
ステップ602．第１のコントローラが、事前設定された対応関係に従って、第１のアンテナ及びＷｉＦｉアンテナの送信電力を取得し、送信電力をそれぞれ第２のコントローラとＷｉＦｉコントローラに送信する。
【００９４】
表４の真理値表は、アンテナと対応する送信電力との間の対応関係を示す。
【００９５】
【表４】
0006700403.tif 000004
ステップ603．送信電力を受信した後、第２のコントローラとＷｉＦｉコントローラが、それぞれ第１のアンテナとＷｉＦｉアンテナを、送信電力に従って伝送を実行するように制御する。
【００９６】
本発明の本実施形態によれば、第１のアンテナとＷｉＦｉアンテナの両方が動作状態にあることが決定されることがあり、事前設定された対応関係に従って、第１のアンテナ及びＷｉＦｉアンテナの送信電力が制御される。したがって、通信品質に影響を与えることなく、電磁放射を正確に制御することができる。
【００９７】
更に、ＷｉＦｉがアクセスホットスポットとして機能する期間に、上部アンテナ又は下部アンテナの動作状態が切り替えられると、第１のコントローラは更に、真理値表に従って、切替え後のアンテナの送信電力を取得する。したがって、送信電力を正確に制御することができる。ここでは詳細を省略する。詳細については図７を参照されたい。
【００９８】
更に、音声通信が関与するので、上述の実施形態によれば、光学近接センサがトリガされたか否かは、更に、携帯電話がユーザの頭部に近接しているか否かを決定することと組み合わされて用いられてよく、よって、送信電力がより正確に制御される。ここでは詳細を省略する。
【００９９】
実施形態４
本発明の実施形態４は、無線通信端末の送信電力を制御するための装置700を提供する。無線通信端末は、本装置、コントローラ、第１のアンテナ及び第２のアンテナを備える。本装置は実施形態１の方法を実施するように構成され、関連する説明は省略する。
【０１００】
図８を参照する。装置800は、
第１のアンテナが動作状態にあることを決定するように構成される決定モジュール801と、
事前設定された対応関係に従って、第１のアンテナの送信電力を取得するように構成される取得モジュール802と、
第１のアンテナの取得された送信電力をコントローラに送信するように構成される送信モジュール803と、
を備える。
【０１０１】
取得モジュール803によって取得された第１のアンテナの送信電力は、コントローラが第１のアンテナの送信電力を受信した後、第１のアンテナを送信電力に従って伝送をおこなうように制御するのに用いられる。
【０１０２】
更に、決定モジュール801は更に、第２のアンテナが動作状態に切り替えられることを決定するように構成される。
【０１０３】
取得モジュール802は更に、事前設定された対応関係に従って、第２のアンテナの送信電力を取得するように構成される。
【０１０４】
送信モジュール803は更に、第２のアンテナの取得された送信電力をコントローラに送信するように構成される。
【０１０５】
取得モジュール803によって取得された第２のアンテナの送信電力は、コントローラが第２のアンテナの送信電力を受信した後、第２のアンテナを送信電力に従って伝送をおこなうように制御するのに用いられる。
【０１０６】
任意に、決定モジュール801は第１の決定ユニット8011を有する。
【０１０７】
第１の決定ユニット8011は、無線通信端末が第１のアンテナを用いて音声通信を実行することを決定し、第１のアンテナの音声通信タイプを決定するように構成される。
【０１０８】
取得モジュール802は、具体的には、第１のアンテナの音声通信タイプに基づいて、第１のアンテナの音声通信タイプと第１のアンテナの送信電力との間の事前設定された対応関係に従って、第１のアンテナの送信電力を取得するように構成される。
【０１０９】
任意に、第１の決定ユニット8011は更に、無線通信端末が第１のアンテナから第２のアンテナに切り替えて音声通信を実行することを決定し、第２のアンテナの音声通信タイプを決定するように構成される。
【０１１０】
取得モジュール802が更に、具体的には、第２のアンテナの音声通信タイプに基づいて、第２のアンテナの音声通信タイプと第２のアンテナの送信電力との間の事前設定された対応関係に従って、第２のアンテナの送信電力を取得するように構成される。
【０１１１】
任意に、無線通信端末は更に光学近接センサを備え、決定モジュール801は第２の決定ユニット8012を有する。
【０１１２】
第２の決定ユニット8012は、光学近接センサがトリガされたことを決定するように構成される。
【０１１３】
取得モジュール802は、具体的には、事前設定された対応関係に従って、第１のアンテナの送信電力を取得するように構成される。対応関係は、第１のアンテナの音声通信タイプと、光学近接センサがトリガされたこととに基づいて、第１のアンテナの送信電力を決定するのに用いられる。
【０１１４】
任意に、第１の決定ユニット8011は更に、無線通信端末が第１のアンテナから第２のアンテナに切り替えて音声通信を実行することを決定し、第２のアンテナの音声通信タイプを決定するように構成される。
【０１１５】
取得モジュール802は更に、具体的には、事前設定された対応関係に従って第２のアンテナの送信電力を取得するように構成される。対応関係は、第２のアンテナの音声通信タイプと、光学近接センサがトリガされたこととに基づいて、第２のアンテナの送信電力を決定するのに用いられる。
【０１１６】
実施形態５
本発明の実施形態５は、無線通信端末の送信電力を制御するための装置800を提供する。無線通信端末は、本装置、ＷｉＦｉコントローラ及びＷｉＦｉアンテナを備える。装置800は実施形態２の方法を実施するように構成され、関連する説明は省略される。
【０１１７】
図９を参照する。装置900は、
ＷｉＦｉアンテナが動作状態にあることを決定し、ＷｉＦｉアンテナのサービスタイプを決定するように構成される決定モジュール901と、
事前設定された対応関係に従って、ＷｉＦｉアンテナの送信電力を取得するように構成される取得モジュール902と、
ＷｉＦｉアンテナの取得された送信電力をＷｉＦｉコントローラに送信するように構成される送信モジュール903と、
を備える。
【０１１８】
取得モジュール902によって取得されたＷｉＦｉアンテナの送信電力は、ＷｉＦｉコントローラがＷｉＦｉコントローラの送信電力を受信した後、ＷｉＦｉアンテナを送信電力に従って伝送をおこなうように制御するのに用いられる。
【０１１９】
任意に、決定モジュール901は第１の決定ユニット9011を有する。
【０１２０】
第１の決定ユニット9011は、無線通信端末がＷｉＦｉを用いて音声通信を実行することを決定するように構成される。
【０１２１】
取得モジュール902は、具体的には、ＷｉＦｉ音声通信とＷｉＦｉアンテナの送信電力との間の事前設定された対応関係に従って、ＷｉＦｉアンテナの送信電力を取得するように構成される。
【０１２２】
任意に、決定モジュール901は第２の決定ユニット9012を有する。
【０１２３】
第２の決定ユニット9012は、無線通信端末がＷｉＦｉアクセススポットとして設定されることを決定するように構成される。
【０１２４】
取得モジュール902は、具体的には、ＷｉＦｉアクセススポットとＷｉＦｉアンテナの送信電力との間の事前設定された対応関係に従って、ＷｉＦｉアンテナの送信電力を取得するように構成される。
【０１２５】
任意に、無線通信端末は更に光学近接センサを備え、決定モジュール901は更に第３の決定ユニット9013を有する。
【０１２６】
第３の決定ユニット9013は、光学近接センサがトリガされたことを決定するように構成される。
【０１２７】
取得モジュール902は更に、具体的には、事前設定された対応関係に従って、ＷｉＦｉアンテナの送信電力を取得するように構成される。対応関係は、ＷｉＦｉが音声通信を実行することと、光学近接センサがトリガされたこととに基づいて、ＷｉＦｉアンテナの送信電力を決定するのに用いられる。
【０１２８】
実施形態６
本発明の実施態様６は、無線通信端末の送信電力を制御するための装置1000を提供する。無線通信端末は、本装置、コントローラ、ＷｉＦｉコントローラ、第１のアンテナ、第２のアンテナ及びＷｉＦｉアンテナを備える。装置1000は実施形態３の方法を実行するように構成され、関連する説明は省略される。
【０１２９】
図１０を参照する。本方法は、
第１のアンテナが動作状態にあることを決定するように構成される第１の決定モジュール1001と、
無線通信端末がＷｉＦｉアクセススポットとして設定されることを決定するように構成される第２の決定モジュール1002と、
事前設定された対応関係に従って、第１のアンテナ及びＷｉＦｉアンテナの送信電力を取得するように構成される取得モジュール1003と、
第１のアンテナ及びＷｉＦｉアンテナの取得された送信電力を、それぞれコントローラ及びＷｉＦｉコントローラに送信するように構成される送信モジュール1004と、
を備える。
【０１３０】
取得モジュール1003によって取得された第１のアンテナ及びＷｉＦｉアンテナの送信電力は、それぞれ、コントローラとＷｉＦｉコントローラが送信電力を受信した後に、第１のアンテナとＷｉＦｉアンテナを送信電力に従って伝送をおこなうように制御するのに用いられる。
【０１３１】
任意に、第１の決定モジュール1001は更に、第２のアンテナが動作状態に切り替えられることを決定するように構成される。
【０１３２】
取得モジュール1003は更に、事前設定された対応関係に従って、第２のアンテナ及びＷｉＦｉアンテナの送信電力を取得し、送信電力をそれぞれ第２のコントローラとＷｉＦｉコントローラに送信するように構成される。
【０１３３】
取得モジュール1003によって取得された第２のアンテナとＷｉＦｉアンテナの送信電力は、それぞれ、コントローラとＷｉＦｉコントローラが送信電力を受信した後、第２のアンテナとＷｉＦｉアンテナを送信電力に従って伝送をおこなうように制御するのに用いられる。
【０１３４】
任意に、第１の決定モジュール1001は第１の決定ユニット10011を有する。
【０１３５】
第１の決定ユニット10011は、無線通信端末が第１のアンテナを用いて音声通信を実行することを決定し、第１のアンテナの音声通信タイプを決定するように構成される。
【０１３６】
取得モジュール1003は、具体的には、事前設定された第１及び第２の対応関係に従って、第１のアンテナ及びＷｉＦｉアンテナの送信電力を決定するように構成される。第１の対応関係は、第１のアンテナの音声通信タイプと、無線通信端末がＷｉＦｉアクセススポットとして設定されることとに基づいて、第１のアンテナの送信電力を決定するのに用いられる。第２の対応関係は、第１のアンテナの音声通信タイプと、無線通信端末がＷｉＦｉアクセススポットとして設定されることとに基づいて、ＷｉＦｉアンテナの送信電力を決定するのに用いられる。
【０１３７】
任意に、第１の決定ユニット10011は更に、無線通信端末が第１のアンテナから第２のアンテナに切り替えて音声通信を実行することを決定し、第２のアンテナの音声通信タイプを決定するように構成される。
【０１３８】
取得モジュール1003は更に、具体的には、事前設定された第３及び第４の対応関係に従って、第２のアンテナ及びＷｉＦｉアンテナの送信電力を決定するように構成される。第３の対応関係は、第２のアンテナの音声通信タイプと、無線通信端末がＷｉＦｉアクセススポットとして設定されることとに基づいて、第２のアンテナの送信電力を決定するのに用いられる。第４の対応関係は、第２のアンテナの音声通信タイプと、無線通信端末がＷｉＦｉアクセススポットとして設定されることとに基づいて、ＷｉＦｉアンテナの送信電力を決定するのに用いられる。
【０１３９】
任意に、第１の決定モジュール1001は第２の決定ユニット10012を有する。
【０１４０】
第２の決定ユニット10012は、無線通信端末が第１のアンテナを用いてデータ伝送を実行することを決定するように構成される。
【０１４１】
取得モジュール1003は、具体的には、事前設定された第５及び第６の対応関係に従って、第１のアンテナ及びＷｉＦｉアンテナの送信電力を決定するように構成される。第５の対応関係は、第１のアンテナがデータ伝送を実行することと、端末がＷｉＦｉアクセススポットとして設定されることとに基づいて、第１のアンテナの送信電力を決定するのに用いられる。第６の対応関係は、第１のアンテナがデータ伝送を実行することと、端末がＷｉＦｉアクセススポットとして設定されることとに基づいて、ＷｉＦｉアンテナの送信電力を決定するのに用いられる。
【０１４２】
任意に、第２の決定ユニット10012は更に、無線通信端末が第１のアンテナから第２のアンテナに切り替えてデータ伝送を実行することを決定するように構成される。
【０１４３】
取得モジュール1003は更に、具体的には、事前設定された第７及び第８の対応関係に従って、第２のアンテナ及びＷｉＦｉアンテナの送信電力を決定するように構成される。第７の対応関係は、第２のアンテナがデータ伝送を実行することと、無線通信端末がＷｉＦｉアクセススポットとして設定されることとに基づいて、第２のアンテナの送信電力を決定するのに用いられる。第８の対応関係は、第２のアンテナがデータ伝送を実行することと、無線通信端末がＷｉＦｉアクセススポットとして設定されることとに基づいて、ＷｉＦｉアンテナの送信電力を決定するのに用いられる。
【０１４４】
任意に、無線通信端末は更に光学近接センサを備え、装置1000は更に第３の決定モジュール1005を備える。
【０１４５】
第３の決定モジュール1005は、光学近接センサがトリガされたことを決定するように構成される。
【０１４６】
取得モジュール1003は更に、具体的には、事前設定された第９及び第１０の対応関係に従って、第１のアンテナ及びＷｉＦｉアンテナの送信電力を決定するように構成される。第９の対応関係は、第１のアンテナの音声通信タイプと、無線通信端末がＷｉＦｉアクセススポットとして設定されることと、光学近接センサがトリガされたこととに基づいて、第１のアンテナの送信電力を決定するのに用いられる。第２の対応関係は、第１のアンテナの音声通信タイプと、無線通信端末がＷｉＦｉアクセススポットとして設定されることと、光学近接センサがトリガされたこととに基づいて、ＷｉＦｉアンテナの送信電力を決定するのに用いられる。
【０１４７】
任意に、第１の決定ユニット1001は更に、無線通信端末が第１のアンテナから第２のアンテナに切り替えて音声通信を実行することを決定し、第２のアンテナの音声通信タイプを決定するように構成される。
【０１４８】
取得モジュール1003は更に、具体的には、事前設定された第１１及び第１２の対応関係に従って、第２のアンテナ及びＷｉＦｉアンテナの送信電力を決定するように構成される。第１１の対応関係は、第２のアンテナの音声通信タイプと、無線通信端末がＷｉＦｉアクセススポットとして設定されることと、光学近接センサがトリガされたこととに基づいて、第２のアンテナの送信電力を決定するのに用いられる。第１２の対応関係は、第２のアンテナの音声通信タイプと、無線通信端末がＷｉＦｉアクセススポットとして設定されることと、光学近接センサがトリガされたこととに基づいて、ＷｉＦｉアンテナの送信電力を決定するのに用いられる。
【０１４９】
実施形態７〜９はそれぞれ、無線通信端末の送信電力を制御する方法を提供し、それぞれ実施形態１〜３に対応する。相違点は、実施形態１〜３では、無線通信端末が第１のコントローラ及び第２のコントローラ、例えばアプリケーションプロセッサ（AP）及び通信プロセッサ（modem）を備え、その２つが比較的独立してそれぞれの機能を実行することにある。無線通信端末がコントローラを１つのみ有してよいことは、容易に理解できる。コントローラは、アプリケーションプロセッサ（AP）と通信プロセッサ（modem）によって独立して実行される機能を統合してよく、コントローラは全ての機能を実行する。
【０１５０】
実施形態７
本発明の本実施形態は、無線通信端末の送信電力を制御する方法を提供する。無線通信端末は、コントローラ、第１のアンテナ及び第２のアンテナを備える。同様の内容については、実施形態１を参照されたい。ここでは詳細を省略する。
【０１５１】
図１１を参照する。本方法は以下のステップを含む。
【０１５２】
ステップ1101．コントローラが、第１のアンテナが動作状態にあることを決定する。
【０１５３】
ステップ1102．コントローラが、事前設定された対応関係に従って第１のアンテナの送信電力を取得する。
【０１５４】
ステップ1103．コントローラが、第１のアンテナを送信電力に従って伝送を実行するように制御する。
【０１５５】
図１２を参照する。図１０の方法に以下のステップが追加されてよい。
【０１５６】
ステップ1104．コントローラが、第２のアンテナが動作状態に切り替えられることを決定する。
【０１５７】
ステップ1105．コントローラが、事前設定された対応関係に従って第２のアンテナの送信電力を取得する。
【０１５８】
ステップ1106．コントローラが、第２のアンテナを送信電力に従って伝送を実行するように制御する。
【０１５９】
同様に、第１又は第２のアンテナの動作状態を決定することは、コントローラが、無線通信端末が第１又は第２のアンテナを用いて音声通信をおこなうことを決定することと、コントローラが、第１又は第２のアンテナの音声通信タイプを決定することとを含む。
【０１６０】
同様に、第１又は第２のアンテナの送信電力をより正確に制御するために、光学近接センサがトリガされたか否かが更に組み合わせて用いられてよい。
【０１６１】
実施形態８
本発明の本実施形態は、無線通信端末の送信電力を制御する方法を提供する。無線通信端末は、コントローラ、ＷｉＦｉコントローラ及びＷｉＦｉアンテナを備える。同様の内容については、実施形態１及び実施形態２を参照されたい。ここでは詳細を省略する。
【０１６２】
図１３を参照する。本方法は以下のステップを含む。
【０１６３】
ステップ1301．コントローラが、ＷｉＦｉアンテナが動作状態にあることを決定し、ＷｉＦｉアンテナのサービスタイプを決定する。
【０１６４】
ステップ1302．コントローラが、事前設定された対応関係に従ってＷｉＦｉアンテナの送信電力を取得し、ＷｉＦｉアンテナの送信電力をＷｉＦｉコントローラに送信する。
【０１６５】
ステップ1303．ＷｉＦｉアンテナの送信電力を受信した後、ＷｉＦｉコントローラが、ＷｉＦｉアンテナを送信電力に従って伝送を実行するように制御する。
【０１６６】
同様に、コントローラがＷｉＦｉアンテナのサービスタイプを決定することは、コントローラが、無線通信端末がＷｉＦｉを用いて音声通信を実行することを決定すること、又は、コントローラが、無線通信端末がＷｉＦｉアクセススポットとして設定されることを決定することを含む。
【０１６７】
同様に、ＷｉＦｉアンテナの送信電力をより正確に制御するために、光学近接センサがトリガされたか否かが更に組み合わせて用いられてよい。
【０１６８】
実施形態９
本発明の本実施形態は、無線通信端末の送信電力を制御する方法を提供する。無線通信端末は、コントローラ、ＷｉＦｉコントローラ、第１のアンテナ、第２のアンテナ及びＷｉＦｉアンテナを備える。同様の内容については、実施形態１、実施形態２及び実施形態３を参照されたい。ここでは詳細を省略する。
【０１６９】
図１４を参照する。本方法は以下のステップを含む。
【０１７０】
ステップ1401．コントローラが、第１のアンテナが動作状態にあることを決定し、コントローラが、無線通信端末がＷｉＦｉアクセススポットとして設定されることを決定する。
【０１７１】
ステップ1402．コントローラが、事前設定された対応関係に従って、第１のアンテナ及びＷｉＦｉアンテナの送信電力を取得する。
【０１７２】
ステップ1403．コントローラが、ＷｉＦｉアンテナの送信電力をＷｉＦｉコントローラに送信する。ＷｉＦｉアンテナの送信電力は、ＷｉＦｉコントローラがＷｉＦｉアンテナの送信電力を受信した後、ＷｉＦｉアンテナをＷｉＦｉアンテナの送信電力に従って伝送を実行するように制御するのに用いられる。
【０１７３】
ステップ1404．コントローラが、第１のアンテナを第１のアンテナの送信電力に従って伝送を実行するように制御する。
【０１７４】
図１５を参照する。図１３の方法に以下のステップが追加されてよい。
【０１７５】
ステップ1405．コントローラが、第２のアンテナが動作状態に切り替えられることを決定する。
【０１７６】
ステップ1406．コントローラが、事前設定された対応関係に従って、第２のアンテナ及びＷｉＦｉアンテナの送信電力を取得する。
【０１７７】
ステップ1407．コントローラが、ＷｉＦｉアンテナの送信電力をＷｉＦｉコントローラに送信する。ＷｉＦｉアンテナの送信電力は、ＷｉＦｉコントローラがＷｉＦｉアンテナの送信電力を受信した後、ＷｉＦｉアンテナをＷｉＦｉアンテナの送信電力に従って伝送を実行するように制御するのに用いられる。
【０１７８】
ステップ1408．コントローラが、第２のアンテナを第２のアンテナの送信電力に従って伝送を実行するように制御する。
【０１７９】
同様に、本方法では、第１のアンテナ又は第２のアンテナの音声通信タイプと、無線通信端末がＷｉＦｉアクセススポットとして設定されることとの組合わせに従って、又は、第１のアンテナ又は第２のアンテナがデータ伝送中であることと、無線通信端末がＷｉＦｉアクセススポットとして設定されることとの組合わせに従って、アンテナの送信電力が決定されてよい。
【０１８０】
同様に、ＷｉＦｉアンテナの送信電力をより正確に制御するために、光学近接センサがトリガされたか否かが更に組み合わせて用いられてよい。
【０１８１】
実施形態１０〜１２
実施形態１０〜１２は、それぞれ無線通信端末を提供し、無線通信端末は、それぞれ実施形態７〜９の方法を実行するように構成される。
【０１８２】
具体的には、実施形態１０は、コントローラ、第１のアンテナ及び第２のアンテナを備える無線通信端末を提供する。コントローラは、実施形態７で説明された方法を実行するように構成される。関連する説明については、具体的には、実施形態７及び実施形態１を参照されたい。ここでは詳細を省略する。
【０１８３】
実施形態１１は、コントローラ、ＷｉＦｉコントローラ及びＷｉＦｉアンテナを備える無線通信端末を提供する。コントローラは、実施形態８で説明された方法を実行するように構成される。関連する説明については、具体的には、実施形態８、実施形態１及び実施形態２を参照されたい。ここでは詳細を省略する。
【０１８４】
実施形態１２は、コントローラ、ＷｉＦｉコントローラ、第１のアンテナ、第２のアンテナ及びＷｉＦｉアンテナを備える無線通信端末を提供する。コントローラは、実施形態９で説明された方法を実行するように構成される。関連する説明については、具体的には、実施形態９及び実施形態１〜３を参照されたい。ここでは詳細を省略する。
【０１８５】
更に、当業者であれば理解できるように、実施形態における方法のプロセスの全部又は一部は、関連ハードウェアに指示するコンピュータプログラムによって実現されてよい。プログラムは、コンピュータ可読記憶媒体に記憶されてよい。プログラムの実行時、実施形態における方法のプロセスが実行される。記憶媒体は、磁気ディスク、光ディスク、読出専用メモリ（Read-Only  Memory，ＲＯＭ）、又はランダムアクセスメモリ（Random  Access  Memory，ＲＡＭ）を含んでよい。
【０１８６】
要するに、以上の説明は、本発明の実施形態の例に過ぎず、本発明の保護範囲を限定するものではない。本発明の原則から逸脱することなくなされる変更、均等置換又は改良は、本発明の保護範囲に包含されるものとする。
【図１】
0006700403.tif 000005
【図２】
0006700403.tif 000006
【図３】
0006700403.tif 000007
【図４】
0006700403.tif 000008
【図５】
0006700403.tif 000009
【図６】
0006700403.tif 000010
【図７】
0006700403.tif 000011
【図８】
0006700403.tif 000012
【図９】
0006700403.tif 000013
【図１０】
0006700403.tif 000014
【図１１】
0006700403.tif 000015
【図１２】
0006700403.tif 000016
【図１３】
0006700403.tif 000017
【図１４】
0006700403.tif 000018
【図１５】
0006700403.tif 000019